(57)【特許請求の範囲】
【請求項１】
印刷機に用いられる刷版に対し画像を形成する描画装置であって、
回転軸を有し、刷版が装着される外周面を有する円筒状のドラムと、
前記ドラムを前記回転軸の周りに回転させる回転駆動手段と、
ガイドに移動可能に取り付けられ、前記ドラムの回転に同期して副走査方向に移動する記録ヘッドと、
前記ドラムの外周面上に設けられ、刷版に対して前記記録へッドによる画像形成が行なわれる際に当該刷版をドラム外周面に位置決めさせておく位置決め部と、
画像信号により前記記録ヘッドを駆動して、前記ドラムの外周面に装着された刷版にレーザ光を照射させて、当該刷版上に印刷に用いられる画像を形成させる駆動回路と、
前記ドラム近傍に配置され、前記ドラムへの刷版の装着前に当該描画装置内において当該刷版に前記ドラムの前記位置決め部に嵌合する第１の嵌合部および印刷機の位置決め部に嵌合する第２の嵌合部を形成する嵌合部形成手段と、
刷版を前記嵌合部形成手段に搬送した後、前記刷版を前記ドラムに搬送する搬送手段とを備え、
前記搬送手段は、
刷版を前記嵌合部形成手段および前記ドラムに搬送するための搬送路と、
前記搬送路を前記嵌合部形成手段と前記ドラムとの間で揺動させる揺動手段とを備えたことを特徴とする描画装置。
【請求項２】
前記ドラムの前記位置決め部は位置決めピンであり、前記印刷機の位置決め部は位置決めピンであり、前記第１の嵌合部は前記ドラムの位置決めピンに嵌合する第１の位置決め孔であり、前記第２の嵌合部は印刷機の位置決めピンに嵌合する第２の位置決め孔であることを特徴とする請求項１記載の描画装置。
【請求項３】
前記嵌合部形成手段は、
刷版に前記第１および第２の位置決め孔を形成する複数の穿孔手段を備えたことを特徴とする請求項２記載の描画装置。
【請求項４】
前記嵌合部形成手段は、
所定位置に配設される支持部材と、
前記支持部材に着脱可能に設けられ、前記複数の穿孔手段を搭載する取り付け部材とをさらに備えたことを特徴とする請求項３記載の描画装置。
【請求項５】
前記支持部材は、前記取り付け部材の一端面が当接する基準面を有することを特徴とする請求項４記載の描画装置。
【請求項６】
前記嵌合部形成手段は、
前記支持部材の所定位置に刷版を位置決めする位置決め手段をさらに備えたことを特徴とする請求項４または５記載の描画装置。
【請求項７】
前記位置決め手段は、
刷版の両側から中央部に移動して前記刷版の両側の端面に当接可能に設けられた１対の当接部材と、
前記１対の当接部材を刷版の両側から中央部に移動させる当接部材駆動手段とを備えたことを特徴とする請求項６記載の描画装置。
【請求項８】
前記嵌合部形成手段は、
刷版を前記支持部材に吸着保持する吸着保持手段をさらに備えたことを特徴とする請求項４〜７のいずれかに記載の描画装置。
【請求項９】
前記複数の穿孔手段を選択する選択手段をさらに備えたことを特徴とする請求項３〜８のいずれかに記載の描画装置。
【請求項１０】
前記搬送手段は、
前記ドラムから取り外された刷版を搬出するための搬送路をさらに備えたことを特徴とする請求項１〜９のいずれかに記載の描画装置。
【発明の詳細な説明】
【０００１】
【発明の属する技術分野】
本発明は、ドラムの外周面に装着された刷版に描画を行う描画装置に関する。
【０００２】
【従来の技術】
印刷に用いられる刷版に光を照射して描画を行うために描画装置が用いられている。ドラム型の描画装置では、主走査方向に回転可能な記録ドラム上に刷版が装着され、レーザダイオード等を備えた記録ヘッドが記録ドラムの回転軸と平行な副走査方向に移動して刷版に描画を行う。
【０００３】
図９は従来の描画装置の記録ドラムの概略斜視図である。図９の記録ドラム１５０には、感光材料としてアルミニウム製の刷版１６０が装着される。記録ドラム１５０の外周面には、刷版１６０の一端を固定する先端クランプ１７０と、刷版１６０の他端を固定する後端クランプ１８０とが取り付けられている。後端クランプ１８０は磁石を内蔵し、刷版１６０の大きさに応じた記録ドラム１５０の外周面位置に磁力により固定されている。
【０００４】
刷版１６０が取り付けられた記録ドラム１５０は、回転軸１９０を中心として比較的低速で回転駆動され、刷版１６０の表面に描画が行われる。
【０００５】
【発明が解決しようとする課題】
従来の描画装置では、記録ドラム１５０の外周面上に刷版１６０を位置決めするための位置決めピン（図示せず）が設けられている。刷版１６０の一端には、位置決めピンに嵌合する記録ドラム用位置決め孔が形成されている。刷版１６０を記録ドラム１００に装着する際に、刷版１６０の記録ドラム用位置決め孔を記録ドラム１５０の位置決めピンに嵌合させることにより、刷版１６０を記録ドラム１５０の外周面上に正確に位置決めすることができる。
【０００６】
一方、印刷機の胴にも、刷版１６０を位置決めするための位置決めピンが設けられている。この位置決めピンの位置は、各印刷機の仕様により異なる。そこで、刷版１６０において印刷機の仕様に応じた位置に印刷機用位置決め孔を形成する必要がある。
【０００７】
通常、描画装置により刷版１６０に描画を行った後、穿孔機を用いて刷版１６０の端面を基準として刷版１６０の所定位置に印刷機用位置決め孔を形成する。刷版１６０に形成された印刷機用位置決め孔を印刷機の位置決めピンに嵌合させることにより、刷版１６０を印刷機の胴に位置決めすることができる。
【０００８】
しかしながら、刷版１６０の寸法にはばらつきがあるため、描画装置による描画後に刷版１６０の端面を基準として印刷機用位置決め孔を形成した場合、刷版１６０に形成された画像と印刷機用位置決め孔との関係にずれが生じる。この場合、刷版１６０を用いて印刷機により得られた印刷結果を見て印刷機の胴に装着された刷版１６０をずらすことにより印刷位置のずれを修正する必要がある。そのため、印刷作業が煩雑となる。
【０００９】
本発明の目的は、刷版の寸法のばらつきにかかわらず刷版を印刷機に正確に位置決めすることが可能な描画装置を提供することである。
【００１０】
【課題を解決するための手段および発明の効果】
（１）第１の発明
第１の発明に係る描画装置は、印刷機に用いられる刷版に対し画像を形成する描画装置であって、回転軸を有し、刷版が装着される外周面を有する円筒状のドラムと、ドラムを回転軸の周りに回転させる回転駆動手段と、ガイドに移動可能に取り付けられ、ドラムの回転に同期して副走査方向に移動する記録ヘッドと、画像信号により記録ヘッドを駆動して、ドラムの外周面に装着された刷版にレーザ光を照射させて、当該刷版上に印刷に用いられる画像を形成させる駆動回路と、ドラムの外周面上に設けられ、刷版に対して記録へッドによる画像形成が行なわれる際に当該刷版をドラム外周面に位置決めさせておく位置決め部と、ドラム近傍に配置され、ドラムへの刷版の装着前に当該描画装置内において当該刷版にドラムの位置決め部に嵌合する第１の嵌合部および印刷機の位置決め部に嵌合する第２の嵌合部を形成する嵌合部形成手段と、刷版を嵌合部形成手段に搬送した後、刷版をドラムに搬送する搬送手段とを備え、搬送手段は、刷版を嵌合部形成手段およびドラムに搬送するための搬送路と、搬送路を嵌合部形成手段とドラムとの間で揺動させる揺動手段とを備えたものである。
【００１１】
本発明に係る描画装置においては、ドラムの外周面上に位置決め部が設けられている。まず、揺動手段により搬送路が嵌合部形成手段の側に揺動され、搬送路を通して刷版が嵌合部形成手段に搬送される。嵌合部形成手段により刷版にドラムの位置決め部に嵌合する第１の嵌合部および印刷機の位置決め部に嵌合する第２の嵌合部が同時に形成される。嵌合部形成手段により刷版に第１および第２の嵌合部が形成された後、刷版が搬送路に戻される。その後、揺動手段により搬送路がドラムの側に揺動され、搬送路からドラムに刷版が搬送される。このように、搬送路を介して刷版が嵌合部形成手段およびドラムに円滑に搬送される。
【００１２】
刷版の第１の嵌合部がドラムの外周面の位置決め部に嵌合された状態で、刷版がドラムの外周面上に装着される。刷版が装着されたドラムを回転駆動手段により回転軸の周りに回転させながら、副走査方向に移動する記録ヘッドを画像信号により駆動して、刷板にレーザ光を照射することによりドラムの外周面上の刷版に描画を行うことができる。印刷時には、刷版の第２の嵌合部が印刷機の位置決め部に嵌合され、刷版を用いて印刷が行われる。
【００１３】
このように、刷版に第１の嵌合部および第２の嵌合部が同時に形成され、ドラムの位置決め部に刷版の第１の嵌合部が嵌合した状態で記録ヘッドによる描画が行われるので、刷版の寸法のばらつきにかかわらず、刷版に形成された画像と第２の嵌合部との関係を一定に保つことができる。したがって、刷版を用いて印刷機で印刷を行う際に刷版を印刷機に正確に位置決めすることができ、印刷位置のずれが生じない。その結果、印刷位置のずれを修正する作業が不要となり、印刷作業の効率が向上する。
【００１４】
（２）第２の発明
第２の発明に係る描画装置は、第１の発明に係る描画装置の構成において、ドラムの位置決め部は位置決めピンであり、印刷機の位置決め部は位置決めピンであり、第１の嵌合部はドラムの位置決めピンに嵌合する第１の位置決め孔であり、第２の嵌合部は印刷機の位置決めピンに嵌合する第２の位置決め孔であるものである。
【００１５】
この場合、ドラムへの刷版の装着時には、刷版の第１の位置決め孔をドラムの位置決めピンに嵌合させることにより刷版をドラムの外周面上に位置決めすることができ、印刷時には、刷版の第２の位置決め孔を印刷機の位置決めピンに嵌合させることにより刷版を印刷機に正確に位置決めすることができる。
【００１６】
（３）第３の発明
第３の発明に係る描画装置は、第２の発明に係る描画装置の構成において、嵌合部形成手段は、刷版に第１および第２の位置決め孔を形成する複数の穿孔手段を備えたものである。
【００１７】
この場合、複数の穿孔手段により刷版に第１および第２の位置決め孔が同時に形成される。したがって、第１の位置決め孔と第２の位置決め孔との関係が一定に保たれ、それにより刷版に形成された画像と第２の位置決め孔との関係も一定に保たれる。
【００１８】
（４）第４の発明
第４の発明に係る描画装置は、第３の発明に係る描画装置の構成において、嵌合部形成手段は、所定位置に配設される支持部材と、支持部材に着脱可能に設けられ、複数の穿孔手段を搭載する取り付け部材とをさらに備えたものである。
【００１９】
この場合、複数の穿孔手段を搭載する取り付け部材が支持部材に着脱自在に設けられるので、複数種類の刷版および複数種類の印刷機に合わせた複数の取り付け部材を用意し、刷版の寸法および印刷機の仕様に応じて取り付け部材を交換することにより、種々の刷版および印刷機に対応した適切な位置に第１および第２の位置決め孔を同時に形成することができる。
【００２０】
（５）第５の発明
第５の発明に係る描画装置は、第４の発明に係る描画装置の構成において、支持部材は、取り付け部材の一端面が当接する基準面を有するものである。
【００２１】
この場合、取り付け部材の一端面を支持部材の基準面に当接させることにより、取り付け部材を支持部材に正確かつ容易に位置決めすることができる。
【００２２】
（６）第６の発明
第６の発明に係る描画装置は、第４または第５の発明に係る描画装置の構成において、嵌合部形成手段は、支持部材の所定位置に刷版を位置決めする位置決め手段をさらに備えたものである。
【００２３】
この場合、位置決め手段により刷版を支持部材の所定位置に位置決めすることができる。それにより、刷版の所定位置に正確に第１および第２の位置決め孔を形成することができる。
【００２４】
（７）第７の発明
第７の発明に係る描画装置は、第６の発明に係る描画装置の構成において、位置決め手段は、刷版の両側から中央部に移動して刷版の両側の端面に当接可能に設けられた１対の当接部材と、１対の当接部材を刷版の両側から中央部に移動させる当接部材駆動手段とを備えたものである。
【００２５】
この場合、当接部材駆動手段により１対の当接部材が刷版の両側から中央部に移動して刷版の両側の端面に当接することにより、刷版が幅寄せされながら所定の位置に位置決めされる。
【００２６】
（８）第８の発明
第８の発明に係る描画装置は、第４〜第７のいずれかの発明に係る描画装置の構成において、嵌合部形成手段は、刷版を支持部材に吸着保持する吸着保持手段をさらに備えたものである。
【００２７】
この場合、吸着保持手段により刷版が支持部材に吸着保持された状態で、複数の穿孔手段により第１および第２の位置決め孔が刷版の正確な位置に形成される。
【００２８】
（９）第９の発明
第９の発明に係る描画装置は、第３〜第８のいずれかの発明に係る描画装置の構成において、複数の穿孔手段を選択する選択手段をさらに備えたものである。
【００２９】
この場合、複数種類の刷版および複数種類の印刷機に対応する複数の穿孔手段を設け、選択手段により刷版の寸法および印刷機の仕様に応じた穿孔手段を選択することができる。したがって、穿孔手段を交換することなく、種々の刷版および印刷機に対応する第１および第２の位置決め孔を刷版に同時に形成することができる。
【００３４】
（１０）第１０の発明
第１０の発明に係る描画装置は、第１〜第９のいずれかの発明に係る描画装置の構成において、搬送手段は、ドラムから取り外された刷版を搬出するための搬送路をさらに備えたものである。
【００３５】
この場合、ドラムから取り外された刷版は、嵌合部形成手段およびドラムへの刷版の搬送時とは、別の搬送路を通して搬出される。
【００３６】
【発明の実施の形態】
図１は本発明の一実施例における描画装置の概略側面図であり、図２は図１の描画装置の概略正面図である。
【００３７】
図１および図２において、描画装置は、円筒状の記録ドラム１を備える。記録ドラム１は、回転駆動装置４により回転軸１ａの周りで矢印Ａの方向（主走査方向）に回転駆動される。記録ドラム１の外周面には、感光材料としてアルミニウム製の刷版１００が装着される。刷版１００の一端は複数の先端クランプ２により記録ドラム１の外周面に固定され、刷版１００の他端は複数の後端クランプ３により記録ドラム１の外周面に固定されている。
【００３８】
図２に示すように、記録ドラム１の前方側には、複数のレーザダイオード８１を備えた記録ヘッド８が配設されている。記録ヘッド８は、ガイド８２に移動可能に取り付けられ、記録ドラム１の回転に同期して矢印Ｂの方向（副走査方向）へ移動する。
【００３９】
記録ヘッド８の複数のレーザダイオード８１は、レーザダイオード駆動回路部１１０により駆動される。レーザダイオード駆動回路部１１０は、記録ヘッド８の複数のレーザダイオード８１に対応して複数のレーザダイオード駆動回路１１１を含む。
【００４０】
画像信号発生回路１３０は、シリアルな画像信号を発生する。シリアル／パラレル変換器１２０は、画像信号発生回路１３０により発生されたシリアルな画像信号をパラレルな画像信号に変換し、それらの画像信号をレーザダイオード駆動回路部１１０の複数のレーザダイオード駆動回路１１１にそれぞれ与える。これにより、記録ヘッド８の各レーザダイオード８１が対応するレーザダイオード駆動回路１１１により駆動され、レーザ光を刷版１００に照射する。
【００４１】
図１に示すように、記録ドラム１の後方側には、クランプ駆動装置５が設けられている。クランプ駆動装置５は、記録ドラム１上への後端クランプ３の取り付け、記録ドラム１からの後端クランプ３の取り外し、および記録ドラム１上の先端クランプ２の解除を行うために用いられる。
【００４２】
クランプ駆動装置５は、矢印Ｃの方向に揺動可能な一対のクランプアーム６を備える。一対のクランプアーム６間には、駆動バー６０が取り付けられ、駆動バー６０に複数の第１駆動装置７が取り付けられている。図２に示すように、第１駆動装置７には、後端クランプ３の固定および解放を行うための駆動ピン７５、後端クランプ３を保持する２つの保持ピン７６、および刷版１００の取り付け時に先端クランプ２を解除する解除ピン７８が設けられている。また、クランプ駆動装置５は、刷版１００の取り外し時に先端クランプ２を解除する第２駆動装置（図示せず）を備えている。
【００４３】
また、図１に示すように、記録ドラム１の上方には、搬送ユニット９が矢印Ｒの方向に揺動可能に配設されている。搬送ユニット９は、刷版搬入用の第１の搬送路９１および刷版搬出用の第２の搬送路９２を有する。刷版１００の搬入時には、搬送ユニット９の第１の搬送路９１を通して刷版１００を記録ドラム１上に供給する。また、刷版１００の搬出時には、記録ドラム１から取り外された刷版１００を搬送ユニット９の第２の搬送路９２を通して外部に搬出する。
【００４４】
搬送ユニット９の先端側には、刷版１００に記録ドラム用位置決め孔および印刷機用位置決め孔を開けるためのパンチ装置１０が配設されている。刷版１００は、記録ドラム１上への供給前に、搬送ユニット９の第１の搬送路９１を通してパンチ装置１０に供給され、刷版１００の先端に記録ドラム用位置決め孔および印刷機用位置決め孔が形成される。刷版１００の記録ドラム用位置決め孔は、記録ドラム１の外周面に設けられた位置決めピン１５に係合する。
【００４５】
図１の制御部６００は、ＣＰＵ（中央演算処理装置）、入出力インタフェース等からなり、描画装置の各部を制御する。この制御部６００には、作業者が刷版１００の寸法等の各種情報および各種指令を入力するための操作パネル７００が接続されている。
【００４６】
図３（ａ）はパンチ装置１０の平面図、図３（ｂ）はパンチ装置１０の正面図である。また、図４はパンチ装置１０のテンプレートの交換を示す平面図である。
【００４７】
図３に示すように、パンチ装置１０はパンチベース２００を備える。パンチベース２００の前面の両端にはそれぞれ幅寄せモータ２０１が取り付けられている。また、パンチベース２００の前面に沿って水平方向に延びる１対のボールねじ２０４が回転可能に設けられている。各ボールねじ２０４は幅寄せモータ２０１により回転駆動される。
【００４８】
各ボールねじ２０４には幅寄せベアリング２０２が螺合している。幅寄せベアリング２０２の上面には円柱状の保持部２０３が回転可能に設けられている。幅寄せモータ２０１が回転することにより幅寄せベアリング２０２は矢印Ｘの方向に移動する。刷版１００は、１対の幅寄せベアリング２０２間に載置される。
【００４９】
パンチベース２００の上面の中央部の前面側には、真空吸着溝２０５が形成されている。真空吸着溝２０５は配管を介して真空ポンプ、アスピレータ等の吸引源（図示せず）に接続されている。吸引源を作動させることにより、真空吸着溝２０５上の刷版１００の裏面が吸引され、刷版１００がパンチベース２００の上面に吸着保持される。
【００５０】
パンチベース２００の上面の後方側には１対の矩形の凹部２０６が設けられている（図４参照）。凹部２０６にはそれぞれテンプレート３００が装着される。テンプレート３００には、記録ドラム１の位置決めピン１５に嵌合する記録ドラム用位置決め孔を刷版１００に形成するための１または複数の記録ドラム用のパンチブロック３０１が取り付けられている。また、テンプレート３００には、印刷機の位置決めピンに嵌合する印刷機用位置決め孔を刷版１００に形成するための１または複数の印刷機用のパンチブロック３０２が取り付けられている。
【００５１】
テンプレート３００の一方の端面を凹部２０６の基準面２０６ａとなる一方の側面に当接させ、他方の端面をばね等の付勢手段により基準面２０６ａに向かう方向に付勢することにより、テンプレート３００が凹部２０６内に位置決めされる。
【００５２】
刷版１００の寸法および印刷機の仕様に合わせて複数種類のテンプレート３００が用意される。図３に示すテンプレート３００には、１つの記録ドラム用のパンチブロック３０１および１つの印刷機用のパンチブロック３０２が搭載されている。図３のテンプレート３００を取り外し、図４に示すテンプレート３００に交換することもできる。図４のテンプレート３００には、１つの記録ドラム用のパンチブロック３０１および２つの印刷機用のパンチブロック３０２が搭載されている。
【００５３】
なお、各テンプレート３００には、複数種類の刷版１００に対応する複数のパンチブロック３０１を設け、使用する刷版１００の寸法に応じて図１の操作パネル７００からの入力により記録ドラム用位置決め孔の形成に用いるパンチブロック３０１を選択することもできる。また、複数種類の印刷機に対応する複数のパンチブロック３０２を設け、印刷に使用する印刷機の仕様に応じて図１の操作パネル７００からの入力により印刷機用位置決め孔の形成に用いるパンチブロック３０２を選択することもできる。
【００５４】
パンチベース２００の上面の中央部には、刷版１００の先端を検出する刷版先端検出センサ２０７が設けられている。刷版１００が幅寄せベアリング２０２間に配置され、刷版１００の先端がテンプレート３００に取り付けられたパンチブロック３０１，３０２に挿入されると、刷版先端検出センサ２０７がオンする。
【００５５】
所定の原点位置から幅寄せモータ２０１を回転させることにより１対の幅寄せベアリング２０２を中央部に移動させると、幅寄せベアリング２０２の保持部２０３の外周面が刷版１００の両側の端面に当接し、刷版１００がパンチベース２００の中央部に位置決めされる。その後、吸引源により真空吸着溝２５を通して刷版１００の裏面が吸引される。それにより、刷版１００がパンチベース２００の所定位置に固定される。
【００５６】
この状態で、記録ドラム用のパンチブロック３０１により刷版１００の先端に記録ドラム用位置決め孔が形成されると同時に、印刷機用のパンチブロック３０２により刷版１００の所定位置に印刷機用位置決め孔が形成される。
【００５７】
なお、パンチベース２００の凹部２０６に刷版１００の寸法および印刷機の仕様に合わせたテンプレート３００を装着してもよく、あるいは複数種類の刷版１００および複数種類の印刷機に対応する複数のパンチブロック３０１，３０２を搭載するテンプレート３００を装着し、使用するパンチブロック３０１，３０２を操作パネル７００から入力される情報に基づいて選択してもよい。
【００５８】
図５（ａ）は記録ドラム用位置決め孔および印刷機用位置決め孔が形成された刷版１００の平面図、図５（ｂ）は刷版１００を記録ドラム１の外周面上に位置決めした状態を示す平面図である。
【００５９】
図５（ａ）において、刷版１００の先端にＵ字形の２つの記録ドラム用位置決め孔１０１が形成され、刷版１００の先端近傍に２つの印刷機用位置決め孔１０２が形成されている。
【００６０】
図５（ｂ）において、刷版１００の先端の記録ドラム用位置決め孔が記録ドラム１の外周面上の位置決めピン１５に位置決めされ、刷版１００の先端が先端クランプ２により記録ドラム１の外周面に固定されている。
【００６１】
図６は搬送ユニット９の構成を示す側面図である。
搬送ユニット９は、ユニット本体部９００内に刷版搬入用の第１の搬送路９１、刷版搬出用の第２の搬送路９２、搬送路切り替え機構９３、第１の搬送機構９４、および第２の搬出機構９５を備える。
【００６２】
搬送路切り替え機構９３は、搬送路切り替えモータ９３０、ギア９３１、カムギア９３２、カムフォロア９３３およびカムフォロアガイド９３４により構成される。搬送路切り替えモータ９３０にギア９３１が取り付けられ、ギア９３１にカムギア９３２が噛み合っており、カムフォロア９３３はカムギア９３２に固定されている。カムフォロア９３３はカムフォロアガイド９３４に係合している。カムフォロアガイド９３４はユニット本体部９００に固定され、ユニット本体部９００は後部を中心に所定の支持部材（図示せず）により揺動自在に支持されている。
【００６３】
搬送路切り替えモータ９３０が回転すると、ギア９３１を介してカムギア９３２が回転し、カムギア９３２に固定されたカムフォロア９３３によりカムフォロアガイド９３４が上下動する。それにより、搬送ユニット９が矢印Ｒの方向に揺動する。
【００６４】
第１の搬送機構９４は、搬送ローラ駆動モータ９４０、プーリ９４１ａ，９４１ｂ，９４１ｃ，９４１ｄ、ベルト９４２、および３つの搬送ローラ９４３，９４４，９４５により構成される。搬送ローラ駆動モータ９４０にプーリ９４１ａが取り付けられ、搬送ローラ９４３，９４４，９４５にそれぞれプーリ９４１ｂ，９４１ｃ，９４１ｄが取り付けられている。搬送ローラ駆動モータ９４０の回転力は、プーリ９４１ａからベルト９４２を介してプーリ９４１ｂ，９４１ｃ，９４１ｄに伝達される。それにより、搬送ローラ９４３，９４４，９４５が回転する。
【００６５】
第２の搬送機構９５は、搬送ローラ駆動モータ９５０および搬送ローラ９５１，９５２により構成される。搬送ローラ駆動モータ９５０により搬送ローラ９５１，９５２が回転駆動される。
【００６６】
また、第１の搬送路９１の搬送ローラ９４３に近接してニップローラ９６３が配設されている。ニップローラ９６３は揺動部材９６２により揺動可能に支持されている。ニップローラ駆動モータ９６０にギア９６１ａが取り付けられている。ギア９６１ａは揺動部材９６２に取り付けられたギア９６１ｂに噛み合っている。ニップローラ駆動モータ９６０が回転すると、ギア９６１ａ，９６１ｂを介して揺動部材９６２が揺動し、ニップローラ９６３が搬送ローラ９４３に接触する。それにより、搬送ローラ９４３およびニップローラ９６３により刷版１００が保持される。
【００６７】
第１の搬送路９１の先端部には、刷版１００の先端を検出する刷版先端検出センサ９７０が配設され、第１の搬送路９１の中央部には、刷版１００の後端を検出する刷版後端検出センサ９７１が配設されている。
【００６８】
次に、図６〜図８を参照しながら搬送ユニット９およびパンチ装置１０の動作を説明する。
【００６９】
まず、図６に示すように、搬送路切り替えモータ９３０により搬送ユニット９を上方位置に移動させる。搬送ユニット９の第１の搬送路９１上に刷版１００をセットし、図１の操作パネル７００から刷版１００の寸法等の刷版情報を入力し、作業指示を行う。
【００７０】
図３のテンプレート３００上に複数のパンチブロック３０１，３０２が搭載されている場合には、操作パネル７００から刷版情報として記録ドラム用位置決め孔および印刷機用位置決め孔の情報も入力することができる。
【００７１】
第１の搬送機構９４の搬送ローラ駆動モータ９４０を回転させ、刷版１００をパンチ装置１０に搬送するとともに、刷版１００の寸法の情報に基づいて図３の幅寄せモータ２０１により幅寄せベアリング２０２をパンチベース２００の両端の付近まで移動させる。パンチ装置１０の刷版先端検出センサ２０７がオンすると、搬送ローラ駆動モータ９４０を回転させたまま、刷版１００の寸法に応じて幅寄せモータ２０１により幅寄せベアリング２０２をパンチベース２００の中央部に向かって移動させる。それにより、刷版１００がパンチベース２００の中央部に位置決めされる。
【００７２】
真空吸着溝２０５を通して刷版１００の裏面を真空吸着し、刷版１００をパンチベース２００に固定する。その後、搬送ローラ駆動モータ９４０および幅寄せモータ２０１を停止させる。
【００７３】
この状態で、パンチ装置１０の記録ドラム用のパンチブロック３０１により刷版１００の先端に記録ドラム用位置決め孔１０１を形成すると同時に、印刷機用のパンチブロック３０２により刷版１００の所定位置に印刷機用位置決め孔１０２を形成する。
【００７４】
テンプレート３００上に複数のパンチブロック３０１，３０２が搭載されている場合には、刷版情報に基づいて複数のパンチブロック３０１，３０２から選択されたパンチブロック３０１，３０２を用いて同時に穿孔する。
【００７５】
次に、ニップローラ駆動モータ９６０によりニップローラ９６３を下降させて搬送ローラ９４３に接触させ、刷版１００を保持する。また、パンチベース２００の真空吸着溝２０５による真空吸着を解除する。次いで、搬送ローラ駆動モータ９４０を逆回転させ、刷版１００を刷版先端検出センサ９７０がオフするまで搬送ユニット９内の第１の搬送路９１に引き戻す。
【００７６】
次に、図７に示すように、搬送路切り替えモータ９３０により搬送ユニット９を下方位置まで揺動させる。また、ニップローラ駆動モータ９６０によりニップローラ９６３を搬送ローラ９４３から離間させる。
【００７７】
また、クランプアーム６を揺動させ、第１駆動装置７を記録ドラム１の外周面に接近させ、第１駆動装置７の解除ピン７８により先端クランプ２の後端部を押圧する。それにより、先端クランプ２の前端部と記録ドラム１の外周面との間に隙間が形成される。
【００７８】
この状態で、搬送ローラ駆動モータ９４０を回転させ、刷版１００を記録ドラム１の方向に搬送し、先端クランプ２の前端部と記録ドラム１の外周面との間の隙間に刷版１００の先端を挿入するとともに、刷版１００の記録ドラム用位置決め孔１０１を記録ドラム１上の位置決めピン１５に嵌合させる。
【００７９】
搬送ローラ駆動モータ９４０を停止させた後、クランプアーム６を逆方向に戻し、第１駆動装置７の解除ピン７８を先端クランプ２から離間させる。それにより、先端クランプ２により刷版１００の先端が記録ドラム１の外周面に固定される。
【００８０】
その後、搬送ローラ駆動モータ９４０を回転させるとともに記録ドラム１を回転させ、刷版１００を記録ドラム１の外周面に巻き付けた後、図１に示したように後端クランプ３により刷版１００の後端を記録ドラム１の外周面に固定する。
【００８１】
このようにして、記録ドラム１の外周面に刷版１００が固定され、図１の記録ヘッド８により刷版１００に描画が行われる。
【００８２】
記録ヘッド８による刷版１００の描画が終了すると、クランプ駆動装置５の第１駆動装置７により後端クランプ３を解除した後、記録ドラム１を逆方向に回転させる。
【００８３】
図８に示すように、刷版１００の先端を搬送ユニット９の第２の搬送機構９５の搬送ローラ９５１，９５２間に差し込み、搬送ローラ駆動モータ９５０により搬送ローラ９５１，９５２を回転させ、刷版１００を搬送ユニット９内の第２の搬送路９２に引き込む。その後、クランプ駆動装置５の第２駆動装置６２により記録ドラム１上の先端クランプ２を解除し、刷版１００を搬送ユニット９の第２の搬送路９２を通して外部に搬出する。
【００８４】
本実施例の描画装置においては、記録ヘッド８による描画前にパンチ装置１０により刷版１００に記録ドラム用位置決め孔１０１および印刷機用位置決め孔１０２が同時に形成され、記録ドラム用位置決め孔１０１が記録ドラム１の位置決めピン１５に位置決めされた状態で記録ヘッド８による描画が行われる。それにより、刷版１００の寸法のばらつきにかかわらず、刷版１００に形成された画像と印刷機用位置決め孔１０２との関係を一定に保つことができる。したがって、刷版１００を用いて印刷機で印刷を行う際に、印刷位置のずれが生じない。その結果、印刷位置のずれを修正する作業が不要となり、印刷作業の効率が向上する。
【００８５】
また、パンチ装置１０のパンチベース２００に装着されるテンプレート３００を交換することにより、刷版１００の寸法および印刷機の仕様に合わせて刷版１００の適切な位置に記録ドラム用位置決め孔１０１および印刷機用位置決め孔１０２を形成することができる。
【００８６】
あるいは、複数種類の刷版１００または複数種類の印刷機に対応する複数のパンチブロック３０１，３０２を搭載するテンプレート３００を用い、刷版１００の種類および印刷機の種類に応じてパンチブロック３０１，３０２を選択することにより、刷版１００の寸法および印刷機の仕様に合わせて刷版１００の適切な位置に記録ドラム用位置決め孔１０１および印刷機用位置決め孔１０２を形成することができる。
【００８７】
したがって、種々の印刷機に対応する刷版１００を作製する際の作業コストが低減される。
【００８８】
なお、記録ドラム１において印刷機の位置決めピンに対応する位置に位置決めピン１５を設けた場合には、記録ドラム用位置決め孔１０１と印刷機用位置決め孔１０２とを共通にすることができる。この場合には、パンチ装置１０のパンチベース２００に印刷機用のパンチブロック３０２を搭載したテンプレート３００を装着する。
【００８９】
上記実施例では、記録ドラム用位置決め孔１０１をＵ字形に形成しているが、記録ドラム用位置決め孔１０１の形状はＵ字形に限らず、記録ドラム１上の位置決めピン１５に嵌合する形状であれば、他の形状でもよい。
【図面の簡単な説明】
【図１】本発明の一実施例における描画装置の概略側面図である。
【図２】図１の描画装置の概略正面図である。
【図３】図１の描画装置におけるパンチ装置の平面図および正面図である。
【図４】図３のパンチ装置のテンプレートの交換を示す平面図である。
【図５】記録ドラム用位置決め孔および印刷機用位置決め孔が形成された刷版の平面図および刷版を記録ドラムの外周面上に位置決めした状態を示す平面図である。
【図６】図１の描画装置における搬送ユニットの構成を示す側面図である。
【図７】図６の搬送ユニットの動作を示す側面図である。
【図８】図６の搬送ユニットの動作を示す側面図である。
【図９】従来の描画装置における記録ドラムの斜視図である。
【符号の説明】
１  記録ドラム
２  先端クランプ
３  後端クランプ
４  回転駆動装置
５  クランプ駆動装置
６  クランプアーム
７  第１駆動装置
８  記録ヘッド
９  搬送ユニット
１０  パンチ装置
１５  位置決めピン
６２  第２駆動装置
９１  第１の搬送路
９２  第２の搬送路
９３  搬送路切り替え機構
９４  第１の搬送機構
９５  第２の搬送機構
１００  刷版
１０１  記録ドラム用位置決め孔
１０２  印刷機用位置決め孔
２００  パンチベース
２０１  幅寄せモータ
２０２  幅寄せベアリング
３００  テンプレート
３０１，３０２  パンチブロック
【図１】
0003708716.tif 000002
【図２】
0003708716.tif 000003
【図３】
0003708716.tif 000004
【図４】
0003708716.tif 000005
【図５】
0003708716.tif 000006
【図６】
0003708716.tif 000007
【図７】
0003708716.tif 000008
【図８】
0003708716.tif 000009
【図９】
0003708716.tif 000010